(57)【要約】【課題】顧客の利便性を損なうことなく、情報提供者側で、日時や顧客の現在位置を考慮したきめ細かい宣伝広告情報の配信をおこなう。【解決手段】情報配信システムは、情報登録者毎に設置され、少なくとも１つの配信コンテンツ２３３と配信コンテンツ２３３の再生制御情報２３２とが入力される情報登録端末と、配信コンテンツ２３３および再生制御情報２３２を送信するデータ送信手段とを有している。そして、データ送信手段から送信された配信コンテンツ２３３および再生制御情報２３２を受信する受信部と、再生制御情報２３２に基づき配信コンテンツ２３３の再生の可否および再生される配信コンテンツ２３３を決定する制御部と、決定された配信コンテンツ２３３を再生する再生手段とを備えた、車載のカーナビゲーション装置とを有している。【選択図】  図２
2005341508.tif 000002
【特許請求の範囲】
【請求項１】
情報登録者毎に設置され、少なくとも１つの配信コンテンツと該配信コンテンツの再生制御情報とが入力される情報登録端末と、
前記配信コンテンツおよび前記再生制御情報を送信するデータ送信手段と、
前記データ送信手段から送信された前記配信コンテンツおよび前記再生制御情報を受信する受信部と、前記再生制御情報に基づき前記配信コンテンツの再生の可否および再生される前記配信コンテンツを決定する制御部と、決定された前記配信コンテンツを再生する再生手段とを備えた、車載のカーナビゲーション装置とを有する、情報配信システム。
【請求項２】
前記再生制御情報は、前記配信コンテンツの再生許可日、再生許可時間帯、再生許可地域情報の少なくともいずれか、および／または、それらの組み合わせと、前記配信コンテンツとの対応テーブルを有し、
前記カーナビゲーション装置は現在日時取得手段と現在位置取得手段とをさらに備え、
前記制御部は、該現在日時取得手段で取得した現在日付と前記再生許可日、該現在日時取得手段で取得した現在時間と前記再生許可時間帯、または該現在位置取得手段で取得した現在位置情報と前記再生許可地域情報の少なくともいずれかを比較し、前記対応テーブルを参照して、前記配信コンテンツの再生の可否および再生される前記配信コンテンツを決定する、請求項１に記載の情報配信システム。
【請求項３】
前記データ送信手段は、地上デジタル放送である、請求項１または２に記載の情報配信システム。
【請求項４】
情報登録者毎に設置された情報登録端末が、少なくとも１つの配信コンテンツと該配信コンテンツの再生制御情報とを受け付けるステップと、
データ送信手段が、前記情報登録端末に入力された前記配信コンテンツおよび前記再生制御情報を、車載のカーナビゲーション装置に向けて送信するステップと、
車載のカーナビゲーション装置が、送信された前記配信コンテンツおよび前記再生制御情報を受信するステップと、
前記カーナビゲーション装置が、前記再生制御情報に基づき、前記配信コンテンツの再生の可否および再生される前記配信コンテンツを決定するステップと、
前記カーナビゲーション装置が、選択された前記配信コンテンツを再生するステップとを有する、情報配信方法。
【請求項５】
前記再生制御情報は、前記配信コンテンツの再生許可日、再生許可時間帯、再生許可地域情報の少なくともいずれか、および／または、それらの組み合わせと、前記配信コンテンツとの対応テーブルを有し、
前記カーナビゲーション装置は、現在日時と現在位置情報の少なくともいずれかを所得するステップをさらに有し、
前記カーナビゲーション装置は、取得された前記現在日付と前記再生許可日、取得された前記現在時間と前記再生許可時間帯、または取得された前記現在位置情報と前記再生許可地域情報の少なくともいずれかを比較し、前記対応テーブルを参照して、前記配信コンテンツの再生の可否および再生される前記配信コンテンツを決定する、請求項４に記載の情報配信方法。
【請求項６】
前記のデータを送信するステップは、地上デジタル放送でおこなわれる、請求項４または５に記載の情報配信システム。
【請求項７】
情報登録者毎に作成され、データ送信される、少なくとも１つの配信コンテンツと該配信コンテンツの再生制御情報とを受信する受信部と、
前記再生制御情報に基づき前記配信コンテンツの再生の可否および再生される前記配信コンテンツを決定する制御部と、
決定された前記配信コンテンツを再生する再生手段とを備えた、
カーナビゲーション装置。
【請求項８】
前記受信部は、前記再生制御情報として、前記配信コンテンツの再生許可日、再生許可時間帯、再生許可地域情報の少なくともいずれか、および／または、それらの組み合わせと、前記配信コンテンツとの対応テーブルを受信し、
現在日時取得手段と現在位置取得手段とをさらに備え、
前記制御部は、該現在日時取得手段で取得した現在日付と前記再生許可日、該現在日時取得手段で取得した現在時間と前記再生許可時間帯、または該現在位置取得手段で取得した現在位置情報と前記再生許可地域情報の少なくともいずれかを比較し、前記対応テーブルを参照して、前記配信コンテンツの再生の可否および再生される前記配信コンテンツを決定する、請求項７に記載のカーナビゲーション装置。
【請求項９】
前記受信部は、地上デジタル放送で送信される前記配信コンテンツおよび前記再生制御情報を受信する、請求項７または８に記載の情報配信システム。
【請求項１０】
情報登録者によって作成され、車載のカーナビゲーションで受信される、少なくとも１つの配信コンテンツと該配信コンテンツの再生制御情報とからなるデータを記録する記録媒体であって、
前記再生制御情報は、前記配信コンテンツの再生許可日、再生許可時間帯、再生許可地域情報の少なくともいずれか、および／または、それらの組み合わせと、前記配信コンテンツとの対応テーブルを有し、
前記カーナビゲーション装置によって現在日付と前記再生許可日、現在時間と前記再生許可時間帯、または現在位置情報と前記再生許可地域情報の少なくともいずれとが比較され、前記対応テーブルが参照されることによって、前記配信コンテンツの再生の可否および再生される前記配信コンテンツが決定されるデータを記録する記録媒体。
【発明の詳細な説明】
【技術分野】
【０００１】
本発明は、カーナビゲーション装置を利用した情報配信システム等に関し、特に店舗等の広告・宣伝情報の配信や検索に適した情報配信システム等に関する。
【背景技術】
【０００２】
近年ＧＰＳ(Global Positioning System)を利用したカーナビゲーション装置が広く普及し、多くの自動車に搭載されている。現在のカーナビゲーション装置の多くはＤＶＤ−ＲＯＭを採用し、ＧＰＳから得られた位置情報をもとに、現在位置をディスプレーに表示している。また、カーナビゲーション装置にあらかじめ装備されるＤＶＤ−ＲＯＭには、地図データだけでなく、観光施設やレストラン等の情報が併せて記録されていることもあり、顧客の利便性が高められている。
【０００３】
ところで、従来、これらの情報が記録されたＤＶＤ−ＲＯＭの作成時点後に生じたデータの変更に対応するためには、ユーザー側で定期的にＤＶＤ−ＲＯＭを買替えたり、最新情報を携帯電話などからインターネットを利用して入手する必要があり、買替え料、通信料等の費用や、更新操作の負担がかかり不便であった。このため、カーナビゲーション装置に記録されている情報を最新の情報に簡易に更新する方法が種々提案されている。
【０００４】
たとえば、記録媒体としてＤＶＤ−ＲＷ等の書き換え可能な媒体を用いて情報を記録しておき、その後、衛星放送等を用いて最新の情報をダウンロードし、記録媒体を書き換える方法が提案されている（例えば、特許文献１参照。）。この方法によれば、常時データの更新が可能であり、その後は通常の検索手段を用いて最新の情報を入手することができる。
【０００５】
また、書き換え方法をさらに効率化するため、カーナビゲーション装置の記録媒体に記録されている情報との差分データのみを地上デジタル放送の各チャンネルから受信し、データを更新する方法が提案されている（例えば、特許文献２参照。）。この方法によれば、膨大な情報のうち、追加・変更のあった部分だけを書き換えればよいので、受信量や通信時間が抑えられる。
【特許文献１】特開２００３−２９４４５９号公報
【特許文献２】特開２００３−１６１６２０号公報
【発明の開示】
【発明が解決しようとする課題】
【０００６】
ところで、カーナビゲーション装置を対象に広告情報を配信する際に、業種によっては、日時に応じたタイムリーな内容の情報を配信したいというニーズがある。また、業種によっては、顧客の現在位置に応じた適切な内容の情報を配信したいと考える場合もある。しかし、従来の情報配信システムでは、情報提供者の側において、店舗の戦略に合せた、日時や顧客の現在位置を考慮したきめ細かい情報発信のニーズに十分に対応できないという課題があった。
【０００７】
また、衛星放送や地上デジタル放送による店舗情報の配信は１日の決まった時間にしかおこなわれないため、カーナビゲーション装置のデータ更新には一定のタイムラグが避けられず、上述のような正確できめ細かな情報発信をおこなう上での制約となっていた。
【０００８】
本発明は、このような状況を踏まえて、顧客の利便性を損なうことなく、情報提供者側で、日時や顧客の現在位置を考慮したきめ細かい宣伝広告情報の配信が可能となる、顧客への情報配信システム等を提供することを目的とする。
【課題を解決するための手段】
【０００９】
上記の課題を解決するため、本発明の情報配信システムは、情報登録者毎に設置され、少なくとも１つの配信コンテンツと配信コンテンツの再生制御情報とが入力される情報登録端末と、配信コンテンツおよび再生制御情報を送信するデータ送信手段とを有している。そして、データ送信手段から送信された配信コンテンツおよび再生制御情報を受信する受信部と、再生制御情報に基づき配信コンテンツの再生の可否および再生される配信コンテンツを決定する制御部と、決定された配信コンテンツを再生する再生手段とを備えた、車載のカーナビゲーション装置とを有している。
【００１０】
このように構成された情報配信システムは、あらかじめ情報登録者の側で、カーナビゲーション装置での配信コンテンツの再生の可否や、再生される場合においてはどの配信コンテンツが再生されるのかを設定することができる。そして、この再生許可条件は再生制御情報として、配信コンテンツに随伴し、一体でカーナビゲーション装置に送られるので、配信コンテンツが再生されるか、どの配信コンテンツが選択されるかを、当該配信コンテンツに随伴する再生制御情報によって自己制御的に設定することができる。
【００１１】
再生制御情報は、配信コンテンツの再生許可日、再生許可時間帯、再生許可地域情報の少なくともいずれか、および／または、それらの組み合わせと、配信コンテンツとの対応テーブルを有し、カーナビゲーション装置は現在日時取得手段と現在位置取得手段とをさらに備え、制御部は、現在日時取得手段で取得した現在日付と再生許可日、現在日時取得手段で取得した現在時間と再生許可時間帯、または現在位置取得手段で取得した現在位置情報と再生許可地域情報の少なくともいずれかを比較し、対応テーブルを参照して、配信コンテンツの再生の可否および再生される配信コンテンツを決定するように構成することができる。
【００１２】
なお、データ送信手段は、地上デジタル放送を用いることができる。
【００１３】
また、本発明の情報配信方法は、情報登録者毎に設置された情報登録端末が、少なくとも１つの配信コンテンツと配信コンテンツの再生制御情報とを受け付けるステップと、データ送信手段が、情報登録端末に入力された配信コンテンツおよび再生制御情報を、車載のカーナビゲーション装置に向けて送信するステップと、車載のカーナビゲーション装置が、送信された配信コンテンツおよび再生制御情報を受信するステップと、カーナビゲーション装置が、再生制御情報に基づき、配信コンテンツの再生の可否および再生される配信コンテンツを決定するステップと、カーナビゲーション装置が、選択された配信コンテンツを再生するステップとを有する。
【００１４】
この際、再生制御情報は、再生制御情報は、配信コンテンツの再生許可日、再生許可時間帯、再生許可地域情報の少なくともいずれか、および／または、それらの組み合わせと、配信コンテンツとの対応テーブルを有し、カーナビゲーション装置は、現在日時と現在位置情報の少なくともいずれかを所得するステップをさらに有し、カーナビゲーション装置は、取得された現在日付と再生許可日、取得された現在時間と再生許可時間帯、または取得された現在位置情報と再生許可地域情報の少なくともいずれかを比較し、対応テーブルを参照して、配信コンテンツの再生の可否および再生される配信コンテンツを決定するようにしてもよい。
【００１５】
なお、データ送信ステップは、地上デジタル放送を用いることができる。
【００１６】
本発明のカーナビゲーション装置は、情報登録者毎に作成され、データ送信される、少なくとも１つの配信コンテンツと配信コンテンツの再生制御情報とを受信する受信部と、再生制御情報に基づき配信コンテンツの再生の可否および再生される配信コンテンツを決定する制御部と、決定された配信コンテンツを再生する再生手段とを備えている。
【００１７】
この際、受信部は、再生制御情報として、配信コンテンツの再生許可日、再生許可時間帯、再生許可地域情報の少なくともいずれか、および／または、それらの組み合わせと、配信コンテンツとの対応テーブルを受信し、現在日時取得手段と現在位置取得手段とをさらに備え、制御部は、現在日時取得手段で取得した現在日付と再生許可日、現在日時取得手段で取得した現在時間と再生許可時間帯、または現在位置取得手段で取得した現在位置情報と再生許可地域情報の少なくともいずれかを比較し、対応テーブルを参照して、配信コンテンツの再生の可否および再生される前記配信コンテンツを決定するように構成することができる。
【００１８】
なお、受信部は、地上デジタル放送で送信される配信コンテンツおよび再生制御情報を受信するようにしてもよい。
【００１９】
本発明の記録媒体は、情報登録者によって作成され、車載のカーナビゲーションで受信される、少なくとも１つの配信コンテンツと配信コンテンツの再生制御情報とからなるデータを記録する記録媒体である。そして、再生制御情報は、配信コンテンツの再生許可日、再生許可時間帯、再生許可地域情報の少なくともいずれか、および／または、それらの組み合わせと、配信コンテンツとの対応テーブルを有し、カーナビゲーション装置によって現在日付と再生許可日、現在時間と再生許可時間帯、または現在位置情報と再生許可地域情報の少なくともいずれとが比較され、対応テーブルが参照されることによって、配信コンテンツの再生の可否および再生される配信コンテンツが決定されるように構成されている。
【発明の効果】
【００２０】
以上説明したように、本発明の情報配信システム等は、あらかじめ情報提供者の側で、カーナビゲーション装置での配信コンテンツの再生の可否や、再生される場合においてはどの配信コンテンツが再生されるのかを設定することができるので、顧客の利便性を損なうことなく、情報提供者側で、日時や顧客の現在位置を考慮したきめ細かい宣伝広告情報の配信が可能となる。
【発明を実施するための最良の形態】
【００２１】
本発明の情報配信システムに係る実施形態を、以下、図面を参照して説明する。図１は、本発明の情報配信システムの全体構成を示す概念図である。
【００２２】
各店舗１には情報登録端末１１が備えられている。情報登録端末１１は通常のパーソナルコンピュータを使用可能であり、後述する再生制御情報と配信コンテンツとを入力できる。情報登録端末１１はインターネット４を介して地上デジタル放送局２内に設置されたサーバ２１に接続されている。地上デジタル放送局２には、さらにデジタル放送設備２２が設けられており、各情報登録端末１１から送信され、サーバ２１の店舗データベース２３に記録された再生制御情報と配信コンテンツを、地上デジタル放送で送信することができる。車両３には、ＧＰＳ衛星５からの信号を受信するＧＰＳ用アンテナ３１と、デジタル放送設備２２からの放送信号を受信するデジタル放送用アンテナ３２とが搭載され、これらは車両３に設置されたカーナビゲーション装置３３に接続している。ここで、サーバ２１は、以下の説明からわかる通り、基本的に店舗データの受信と蓄積機能しか果たしていないため、他の手段で代替することも可能である。なお、以下の説明では店舗をＡ店舗１で代表する。
【００２３】
図２にはサーバ内の店舗データベースの概念図を示す。店舗データベース２３は各情報登録端末１１から送信された店舗データ２３ａ、２３ｂ等が集合して構成されており、図２は、Ａ店舗の情報登録端末１１から送信された店舗データ２３ａを代表的に示している。店舗データ２３ａは店舗一般情報２３１と、再生制御情報２３２と、配信コンテンツ２３３とを有している。
【００２４】
店舗一般情報２３１は、店舗コード、店舗名称、位置座標、表示アイコン、営業時間、電話番号、ＵＲＬ、広告保存期間、Rev.Noからなる、Ａ店舗１の一般的な情報である。「店舗コード」はＡ店舗１の識別コードであり、例えば４桁の数字で与えられる。「位置座標」はＡ店舗１の緯度と経度を示すデータである。「表示アイコン」はカーナビゲーション装置３３の表示装置３３５（図３参照）に表示されるＡ店舗１のシンボル図形である。「広告保存期間」は、宣伝情報がカーナビゲーション装置３３の記憶装置３３４（図３参照）に保存される期間を示す情報である。「Rev.No」はＡ店舗１からある特定の日にサーバ２１に送信された店舗データ２３ａの更新管理番号を示している。例えば図中の０４０６０２Ｂは、そのデータが２００４年６月２日にサーバ２１に送られた２回目のデータであることを示している。
【００２５】
再生制御情報２３２は、Ａ店舗１が配信する配信コンテンツ２３３のカーナビゲーション装置３３の表示装置３３５や音声装置３３６（図３参照）への再生を制御する情報である。再生制御情報２３２は、再生許可日Ａ，Ｂ、再生許可地域Ｃ，Ｄ、再生許可時間帯Ｅからなる。配信コンテンツ２３３は、実際にカーナビゲーション装置３３で再生される動画データ（音声有または無し）、静止データ（音声有または無し）、音声データのいずれかであり、ファイル形式の認識のため、所定の識別子（図ではＸＸＸと表示）を有していてもよい。再生制御情報２３２と配信コンテンツ２３３は、あらかじめ情報登録端末１１からＡ店舗の従業員等によって入力される。
【００２６】
ここで、再生制御情報２３２と配信コンテンツ２３３との関係を説明する。「再生許可日」は、カーナビゲーション装置３３において、対応する配信コンテンツ２３３の再生が許可される日付である。たとえば、図２において、再生許可日Ａとして表示されている「０４０６０１」および「０４０６０８」は、２００４年６月１日から２００４年６月８日までの期間だけ、対応する配信コンテンツの再生が許可されることを意味している。同様に、再生許可日Ｂとして１つの欄に２回表示されている「０４０６０９」は、２００４年６月９日だけ、対応する配信コンテンツの再生が許可されることを意味している。
【００２７】
「再生許可地域」は、カーナビゲーション装置３３とＡ店舗との間に一定の位置的関係を満たす場合に、対応する配信コンテンツの再生が許可される位置的条件である。たとえば、図２において、再生許可地域Ｃとして表示されている「０」および「１０」は、カーナビゲーション装置３３がＡ店舗の半径１０ｋｍ以内にいる場合だけ、対応する配信コンテンツの再生が許可されることを意味している。同様に、再生許可地域Ｄとして表示されている「１０」および「５０」の欄は、カーナビゲーション装置３３がＡ店舗の半径１０ｋｍ以上、５０ｋｍ以内にいる場合だけ、対応する配信コンテンツの再生が許可されることを意味している。
【００２８】
「再生許可時間帯」は、カーナビゲーション装置３３において、対応する配信コンテンツの再生が許可される時間帯である。たとえば、図２において、再生許可時間帯Ｅとして表示されている「０７００」および「１８００」は、午前７時から午後６時までの時間帯だけ、対応する配信コンテンツの再生が許可されることを意味している。
【００２９】
そして、再生許可日と再生許可地域と再生許可時間帯の条件をすべて満たす場合に、対応付けられた配信コンテンツの再生が許可される。たとえば、２００４年６月１日、午後１時に、カーナビゲーション装置３３、すなわち車両３がＡ店舗から５ｋｍの地点にいる場合には、配信コンテンツｗの再生が許可される。これらの再生許可条件は全部または一部について設定しないことも可能であり、その場合、その再生許可条件は無視される。また、各再生許可条件を３つ以上設定することができるのはいうまでもない。
【００３０】
このように、本発明の情報配信システムでは、再生制御情報２３２は再生許可日、再生許可時間帯、再生許可地域情報の少なくともいずれか、および／または、それらの組み合わせと、配信コンテンツ２３３との対応テーブルを規定しており、この対応テーブルに基づき、配信コンテンツ２３３の再生の可否および再生される特定の配信コンテンツ２３３が決定される。
【００３１】
本発明は、また、配信コンテンツ２３３と再生制御情報２３２とが一体となったデータを記録する保存媒体およびデータを対象としている。本データは、再生制御情報２３２が配信コンテンツ２３３に随伴され一体化されたデータであり、情報登録者側で作成され、カーナビゲーション装置３３に送られる。そして、本データ構造を用いることで、カーナビゲーション装置３３における配信コンテンツ２３３の再生制御が、データ自身の保有する再生制御情報２３２に基づいて、自己制御的におこなわれる。
【００３２】
図３には、カーナビゲーション装置３３の構成概要図を示す。カーナビゲーション装置３３は、制御部３３１を中心に、地上デジタル放送受信装置３３２と、位置情報測定装置３３３と、記憶装置３３４と、表示装置３３５と、音声装置３３６とを有している。制御部３３１は、カーナビゲーション装置３３内のこれらの各装置の作動を制御するとともに、時計機能を有し、日付、時間の自動取得が可能である。地上デジタル放送受信装置３３２は、デジタル放送用アンテナ３２に接続され、地上デジタル放送を受信する。位置情報測定装置３３３は、ＧＰＳ用アンテナ３１に接続され、現在位置情報を取得する。記憶装置３３４は、以下に述べる各種のデータを記録し、ＤＶＤ−ＲＷやＨＤＤ等の書き換え可能な記録媒体を用いることができる。表示装置３３５は、所定の内容の画像データを再生し、液晶ディスプレーその他一般的な表示デバイスを使用できる。音声装置３３６は、所定の内容の音声データを再生し、表示装置３３５と連動することも可能である。
【００３３】
図４には、記憶装置３３４内部のデータ構成概要図を示す。記憶装置３３４はプログラム等のシステムデータ３３４ａと、地図データ３３４ｂと、地図に付随してあらかじめ記録されている（例えば、観光案内等）地図付随データ３３４ｃと、受信した地上デジタル放送が書き込まれる店舗データ３３４ｄとを有している。このうち、地図データ３３４ｂおよび地図付随データ３３４ｃは、従来技術を用いた適宜の手段で更新することが可能であり、更新結果は各々の格納場所に上書き保存される。店舗データ３３４ｄは店舗毎のデータに区分されており、各店舗のデータは、サーバ２１内の各店舗のデータと同一である。すなわち、図２に示すＡ店舗１の店舗データ２３ａが、他の店舗データ２３ｂ等とともに、そのまま店舗データ３３４ｄに書き込まれる。
【００３４】
次に、図５に示すフロー図を用いて、本情報配信システムの動作を説明する。まず、Ａ店舗の店舗データを情報登録端末１１から入力する（ステップ５５１）。店舗データは図２に示したサーバ２１内の店舗データ２３ａと同様の内容である。情報登録端末１１への入力はいつでも可能であり、所定のログイン操作で、Ａ店舗からは常に最新の店舗データを送信することができる。「Rev.No」は、ここでは情報登録端末１１で付番管理し、情報登録端末１１から店舗データの一部としてサーバ２１に送信されるが、サーバ２１側で付番管理することも可能である。「店舗コード」や「位置座標」等のような半固定データは、その都度送信せず、変更されたときだけ送信するようにしてもよい。
【００３５】
「再生許可地域」、「再生許可日」、「再生許可時間帯」は各店舗の特性や戦略に合わせ、以下のように、店舗毎に設定できる。
【００３６】
たとえば、大型ショッピングセンターであれば「再生許可地域」を広く設定し、ガソリンスタンドのように狭い地域で宣伝できればよい店舗であれば、狭く設定することができる。また、大型ショッピングセンターなどでは、「再生許可地域」を複数設定し、遠方、近距離で各々異なる配信コンテンツを割り付けることができる。一例として、カーナビゲーション装置３３、すなわち車両３が遠方にいるときは、遠方の顧客にも来店してもらうために、店舗に興味を持ち、店舗に足を向けてもらえるような内容の広告とし、車両３が近くにいるときは、来店を前提として、店舗内の売場の情報や駐車場の情報等を含んだ内容の広告とすることなどが考えられる。
【００３７】
たとえば、ショッピングセンターで、特定の日にセールの予定がある場合、セールのしばらく前から予告的な宣伝を開始し、前日や当日にはより具体的な宣伝をし、セールが終わった日の翌日以降は広告を停止するなど、日によって宣伝の有無や宣伝内容を異ならせたいと考える場合がある。この場合、宣伝方針に従い、表２に示す「再生許可日」を複数設定し、各々に異なる配信コンテンツを割り付ければよい。
【００３８】
たとえば、レストランで、昼食に向けた時間帯にはランチサービスの宣伝をおこない、その時間を過ぎれば夕食メニューの宣伝を始めるなど、１日のなかでも時間帯によって宣伝内容を異ならせたいと考える場合がある。この場合、「再生許可時間帯」を複数設定し、各々に異なる配信コンテンツを割り付ければよい。
【００３９】
さらに、業種にかかわらず、その日が閉店日であったり、既にその日の営業時間を終了しているような場合は、宣伝を控えたいと望む場合もあろう。この場合、「再生許可時間帯」や「再生許可時間帯」を適宜組み合わせて、その各々に異なる配信コンテンツを割り付ければよい。
【００４０】
店舗データ２３ａはインターネット４を介して、地上デジタル放送局２内のサーバ２１によって受信される（ステップ５５２）。店舗データ２３ａは、地上デジタル放送局２内のデジタル放送設備２２によって、別途定められた放送スケジュールにしたがって、他の店舗の店舗データとともに地上デジタル放送される（ステップ５５３）。この際、カーナビゲーション装置３３の電源が切られていたり、電波状況などにより受信できない可能性はあるが、店舗情報の再放送など放送スケジュールで対応したり、顧客からインターネット等を利用して、直接サーバ２１にアクセスして最新情報を取得することも可能である。また、以下に示す「Rev.No」との照合によって、次回の店舗情報更新に合わせて最新情報を取得することもできる。
【００４１】
カーナビゲーション装置３３の制御部３３１は、ユーザーが一般放送局を選局していない時に、自動的に本システムの地上デジタル放送局２を選局して、地上デジタル放送受信装置３３２を介して店舗データ２３ａを受信する（ステップ５５４）。制御部３３１は受信した店舗データ２３ａの「店舗コード」を確認し、当該店舗が未登録であれば、制御部３３１の指令によって、店舗データ２３ａが記憶装置３３４に記録される。同一の「店舗コード」がすでに存在する場合、制御部３３１は「Rev.No」を記憶装置３３４に記録されている「Rev.No」と照合して、「Rev.No」が同一であれば更新不要と、「Rev.No」が異なっていれば更新が必要と判断し（ステップ５５５）、更新必要であれば、Ａ店舗の店舗データを更新する（ステップ５５６）。更新された店舗データ２３ａは、制御部３３１の指令によって、記憶装置３３４の所定の格納場所に記録される。
【００４２】
以上のステップにより、ユーザーは情報更新を意識することなく、地上デジタルデータ放送で自動配信される最新の店舗情報を受け取ることができる。また、Ａ店舗は、店舗データを自分の情報登録端末１１から入力するだけで、一定時間後には、自店舗の最新の情報を、顧客のカーナビゲーション装置３３の記憶装置３３４に記録させることができる。なお、店舗情報データの「広告保存期間」と現在日付を適宜のタイミングで照合することで、不要となった店舗データ２３ａが自動消去され、臨時店舗などの一時的データがいつまでも記憶装置３３４に残らないようにされる。
【００４３】
次に、ユーザーが情報検索を希望すると、ユーザーの操作によってカーナビゲーション装置３３の情報検索機能が立ち上げられる（ステップ５５７）。制御部３３１は、位置情報測定装置３３３から現在位置情報を、内蔵の時計から現在時刻と現在日付を各々取得する（ステップ５５８）。制御部３３１は、まず、取得した現在時刻と、記憶装置３３４に記録された再生制御情報２３２に含まれる「再生許可時間帯」とを照合して、再生が許可されているかを判定する。再生が許可されている時間帯の場合、さらに、取得した現在時刻と現在位置情報とを再生制御情報２３２に含まれる「再生許可日」と「再生許可地域」とを照合して、配信コンテンツ２３３のうちから再生対象となる再生コンテンツ２３３を決定する（ステップ５５９）。
【００４４】
制御部３３１は、同様な作業を他の店舗についてもおこない、再生の許可された配信コンテンツの一覧を表示装置３３５に表示する（ステップ５６０）。表示は店舗の位置座標を記憶装置３３４の地図データ３３４ｂとリンクさせて、地図上に、Ａ店舗の所定のアイコンを表示させておこなわれるが、一覧表の形式でもよい。顧客がこの中から興味を持った配信コンテンツ２３３を選択すると、その内容が表示装置３３５または音声装置３３６によって再生される（ステップ５６１）。このとき、再生データが動画データであるか、音声データであるかは、例えば配信コンテンツに付けられた識別子で自動判別される。
【００４５】
以上説明したように、ユーザーは自動的に更新された店舗データに基づき、最新の情報を検索することができる。本発明の効果は以下の通りである。
（１）店舗情報登録者は、自らの設定した再生許可条件に基づいて、複数の配信コンテンツの中から、日時やユーザーの現在場所毎に最適な情報提供をすることができるので、よりきめ細かい、戦略的な宣伝活動が可能となる。
（２）長期間カーナビゲーション装置が未使用であったり、地上デジタル放送局の圏外にいた等の理由によって、長期間データ更新がなされない場合でも、将来に向けた宣伝広告をあらかじめ配信できるので、最新の広告が可能となる。たとえば、１ヵ月後の広告情報をあらかじめ送信しておくことにより、１ヶ月間データ更新がなされなくても１ヵ月後には、あらかじめカーナビゲーション装置３３の記録装置３３４に記録された情報に基づいて、最新の宣伝情報を顧客に検索させることができる。また、１日の間に何度も広告内容を変更したい場合、直近の地上デジタル放送が受信されなくても、あらかじめ時間帯に応じた複数の配信コンテンツと、その再生制御情報とを記録装置３３４に記録させることによって、時間帯に応じて店舗が望む配信コンテンツを顧客に検索させることができる。
（３）再生許可条件を複数の配信コンテンツと同時にあらかじめ送信することで、情報登録端末からの頻繁な配信コンテンツの切替が不要となる。
（４）ユーザーにとっても、最新店舗情報をリアルタイムで、更新操作を意識せずに入手することができ、また、タイムリーな情報が入手しやすくなり、利便性が向上する。
【００４６】
なお、本発明は以上の内容に限定されず、適宜追加機能を与えて実施することが可能である。例えば、下記のような追加機能が考えられる。
（１）カーナビゲーション装置がデータを受信した時の動作条件を再生制御情報に付加することによって、配信コンテンツの受信時に、配信コンテンツを表示装置にポップアップ表示させたり、音声装置で再生させる。
（２）店舗位置のアイコンを表示する地図スケールを指定できるようにする。また、カーナビゲーション装置のルート誘導機能と連動させる。
（３）所定の検索条件を顧客側でも設定し、再生許可コンテンツの中から、さらに顧客のニーズを加味して絞り込まれた特定の情報（レストラン等）だけを表示させる。
（４）顧客が異なる再生許可地域に入ったときに、対応する配信コンテンツをポップアップ表示等によって自動再生させる。
（５）再生許可日の代わりに、再生許可曜日を設定する（たとえば、週１回の定休日等）。
（６）再生許可された配信コンテンツを伴う店舗の位置を、アイコンの点滅等で画面表示する。
（７）地上デジタル放送に限定されず、ＢＳデジタル放送、インターネット等、車載のカーナビゲーション装置が接続できる通信手段を広く用いる。
（８）再生許可地域を、店舗と半径の関係以外に、実際の経路距離や交通状況を考慮した予想所要時間で設定する。
【図面の簡単な説明】
【００４７】
【図１】本発明の情報配信システム全体の概略図である。
【図２】本発明の情報配信システムに係るサーバ内の店舗データベースの概略構成図である。
【図３】本発明の情報配信システムに係るカーナビゲーション装置の概略図である。
【図４】図３に示すカーナビゲーション装置の記録装置内部の概略構成図である。
【図５】本発明の情報配信システムを用いた店舗情報検索の流れを示すフロー図である。
【符号の説明】
【００４８】
１  店舗（Ａ店舗）
１１  情報登録端末
２  地上デジタル放送局
２１  サーバ
２２  デジタル放送設備
２３  店舗データベース
２３ａ  店舗データ
２３１  店舗一般情報
２３２  再生制御情報
２３３  配信コンテンツ
３  車両
３１  ＧＰＳ用アンテナ
３２  デジタル放送用アンテナ
３３  カーナビゲーション装置
３３１  制御部
３３２  地上デジタル放送受信装置
３３３  位置情報測定装置
３３４  記憶装置
３３４ａ  システムデータ
３３４ｂ  地図データ
３３４ｃ  地図付随データ
３３４ｄ  店舗データ
３３５  表示装置
３３６  音声装置
４  インターネット
５  ＧＰＳ衛星
【図１】
2005341508.tif 000003
【図２】
2005341508.tif 000004
【図３】
2005341508.tif 000005
【図４】
2005341508.tif 000006
【図５】
2005341508.tif 000007